【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
無線アクセスネットワーク（ＡＮ）のためのデータ接続ポイント（ＤＡＰ）の選択の方法において、
前記無線ＡＮ中のエンティティーが、前記無線ＡＮの少なくとも二つの無線アクセスポイント（ＡＰ）に関する資源コストを確定することと、
前記無線ＡＮ中の前記エンティティーが、サービングＡＰの資源コストを、現在又はデフォルトのＤＡＰの資源コストと比較することと、
前記無線ＡＮ中の前記エンティティーが、前記サービングＡＰの資源コストが、前記現在又はデフォルトのＤＡＰの資源コストより低い場合、かつ、前記サービングＡＰの資源コストと前記現在又はデフォルトのＤＡＰの資源コストとの間の差がスイッチング・オーバーヘッド・コストより大きい場合に、前記ＤＡＰとして前記サービングＡＰを確立することを含む方法。
【請求項２】
前記資源コストは、利用できるリンク・バンド幅又は前記無線ＡＰのレイテンシー及びトラフィック・ロードにも基づく、請求項１に記載の方法。
【請求項３】
前記資源コストを比較することは、前記無線ＡＮのＡＰの資源コストを動的に発見することを更に含む請求項１に記載の方法。
【請求項４】
前記無線ＡＮ中の前記エンティティーが、前記サービングＡＰの前記資源コストを前記ＤＡＰと共有すること又は前記ＤＡＰの前記資源コストを前記サービングＡＰと共有することを更に含む請求項１に記載の方法。
【請求項５】
前記無線ＡＮ中の前記エンティティーが、前記無線ＡＮのネットワークトポロジーにおける変化に基づいて、無線ＡＰに関する資源コストを更新することを更に含む請求項１に記載の方法。
【請求項６】
前記資源コストを確定することは、複数のトラフィック・ゲートウェイの各々の少なくとも一つのデータ・インタフェースに関して少なくとも二つの無線ＡＰの各々についてコスト距離を判定することを更に含む請求項１に記載の方法。
【請求項７】
前記無線ＡＮ中の前記エンティティーが、いずれのデータ・インタフェースが前記サービングＡＰに対して最も低いコスト距離を与えるかを判定することを更に含む請求項６に記載の方法。
【請求項８】
前記無線ＡＮ中の前記エンティティーが、前記サービングＡＰに対して最も低いコスト距離を与える前記データ・インタフェースに対する前記ＤＡＰのコスト距離を得ることと、
前記無線ＡＮ中の前記エンティティーが、前記ＤＡＰの前記コスト距離を、前記サービングＡＰの最も低いコスト距離と比較することと、
前記無線ＡＮ中の前記エンティティーが、前記最も低いコスト距離が前記ＤＡＰの前記コスト距離より低い場合、前記ＤＡＰを前記サービングＡＰに切り替えることを更に含む請求項７に記載の方法。
【請求項９】
無線アクセスネットワーク（ＡＮ）のためにデータ接続ポイント（ＤＡＰ）を決定する装置において、
少なくとも一つのデータ・ネットワーク・ゲートウェイについて前記無線ＡＮの無線スアクセスポイント（ＡＰ）に関するコスト距離を確定する解析モジュールと、
サービングＡＰのコスト距離を、現在又はデフォルトのＤＡＰのコスト距離と比較する測定モジュールと、
前記サービングＡＰのコスト距離が、前記現在又はデフォルトのＤＡＰのコスト距離より低い場合、かつ、前記サービングＡＰのコスト距離と前記現在又はデフォルトのＤＡＰのコスト距離との間の差がスイッチング・オーバーヘッド・コストより大きい場合に、前記ＤＡＰとしてサービングＡＰを確立する接続モジュールとを含む装置。
【請求項１０】
前記コスト距離は、利用できるリンク・バンド幅又はＡＰのレイテンシー及びトラフィック・ロードにも基づく、請求項９に記載の装置。
【請求項１１】
前記無線ＡＮのＡＰのコスト距離の動的な発見を容易にするために用いられるＡＰ間リンクを更に含む請求項９に記載の装置。
【請求項１２】
前記ＡＰ間リンクは、前記サービングＡＰの前記コスト距離を前記ＤＡＰと共有するか、又は、前記ＤＡＰの前記コスト距離を前記サービングＡＰと共有するために用いられる請求項１１に記載の装置。
【請求項１３】
前記無線ＡＮのネットワークトポロジーの変化に基づいて、無線ＡＰに関するコスト距離を更新するリフレッシュ・モジュールを更に含む請求項９に記載の装置。
【請求項１４】
前記解析モジュールは、複数のトラフィック・ゲートウェイの各々の少なくとも一つのデータ・インタフェースに関して少なくとも二つの無線ＡＰの各々についてホップカウントを判定する請求項９に記載の装置。
【請求項１５】
前記解析モジュールは、いずれのデータ・インタフェースが前記サービングＡＰに対して最小のホップカウントを与えるか判定する請求項１４に記載の装置。
【請求項１６】
前記解析モジュールは、前記サービングＡＰに対して最小のホップカウントを与える前記データ・インタフェースに対する前記ＤＡＰの前記ホップカウントを取得し、
前記測定モジュールは、前記ＤＡＰの前記ホップカウントを、前記サービングＡＰの前記ホップカウントと比較し、
前記接続モジュールは、前記サービングＡＰがより小さいホップカウントを持つ場合に、前記ＤＡＰを前記サービングＡＰに切り替える請求項１５に記載の装置。
【請求項１７】
無線アクセスネットワーク（ＡＮ）のためにデータ接続ポイント（ＤＡＰ）を決定する装置において、
前記無線ＡＮの少なくとも二つの無線アクセスポイント（ＡＰ）に関する資源コストを確定するための手段と、
サービングＡＰの資源コストを、現在又はデフォルトのＤＡＰの資源コストと比較するための手段と、
前記サービングＡＰの資源コストが、前記現在又はデフォルトのＤＡＰの資源コストより低い場合、かつ、前記サービングＡＰの資源コストと前記現在又はデフォルトのＤＡＰの資源コストとの間の差がスイッチング・オーバーヘッド・コストより大きい場合に、前記ＤＡＰとして前記サービングＡＰを確立するための手段とを含む装置。
【請求項１８】
無線アクセスネットワーク（ＡＮ）のためにデータ接続ポイント（ＤＡＰ）を決定するように構成されたプロセッサにおいて、
前記無線ＡＮの少なくとも二つの無線アクセスポイント（ＡＰ）に関する資源コストを確定する第１のモジュールと、
サービングＡＰの資源コストを、現在又はデフォルトのＤＡＰの資源コストと比較する第２のモジュールと、
前記サービングＡＰの資源コストが、前記現在又はデフォルトのＤＡＰの資源コストより低い場合、かつ、前記サービングＡＰの資源コストと前記現在又はデフォルトのＤＡＰの資源コストとの間の差がスイッチング・オーバーヘッド・コストより大きい場合に、前記ＤＡＰとして前記サービングＡＰを確立する第３のモジュールとを含むプロセッサ。
【請求項１９】
無線アクセスネットワーク（ＡＮ）のためにデータ接続ポイント（ＤＡＰ）を決定するように構成されたコンピュータ読み取り可能なインストラクションを含むコンピュータ読み取り可能な記憶媒体において、
前記インストラクションは、少なくとも一つのコンピュータにより、
前記無線ＡＮの少なくとも二つの無線アクセスポイント（ＡＰ）に関する資源コストを確定し、
サービングＡＰの資源コストを、現在又はデフォルトのＤＡＰの資源コストと比較し、そして、
前記サービングＡＰの資源コストが、前記現在又はデフォルトのＤＡＰの資源コストより低い場合、かつ、前記サービングＡＰの資源コストと前記現在又はデフォルトのＤＡＰの資源コストとの間の差がスイッチング・オーバーヘッド・コストより大きい場合に、前記ＤＡＰとして前記サービングＡＰを確立するように実行可能であるコンピュータ読み取り可能な記憶媒体。
【請求項２０】
無線アクセスネットワーク（ＡＮ）のためのデータ接続ポイント（ＤＡＰ）の選択を容易にする方法において、
アクセス端末（ＡＴ）が、データ通信のために前記無線ＡＮのサービング・アクセスポイント（ＡＰ）に接続することと、
前記ＡＴが、前記サービングＡＰに関連するコスト距離及び現在又はデフォルトのＤＡＰのコスト距離を取得することと、
前記ＡＴが、前記サービングＡＰの前記コスト距離を、前記現在又はデフォルトのＤＡＰの前記コスト距離と比較することと、
前記ＡＴが、前記サービングＡＰの前記コスト距離が前記現在又はデフォルトのＤＡＰの前記コスト距離より低い場合、かつ、前記サービングＡＰのコスト距離と前記現在又はデフォルトのＤＡＰのコスト距離との間の差がスイッチング・オーバーヘッド・コストより大きい場合に、前記ＡＴのＤＡＰの確立又は切り替えを容易にすることを含む方法。
【請求項２１】
前記ＡＴが、前記無線ＡＮの各々のＡＰのコスト距離を受信することを更に含む請求項２０に記載の方法。
【請求項２２】
前記ＡＴが、前記サービングＡＰの前記コスト距離が前記現在又はデフォルトのＤＡＰの前記コスト距離より低い場合に、前記サービングＡＰへ前記比較の結果をフォワードすることを更に含む請求項２０に記載の方法。
【請求項２３】
前記ＡＴが、複数のデータ・ネットワーク・ゲートウェイの各々のデータ・インタフェースについて、前記サービングＡＰの複数のコスト距離を取得することと、
前記ＡＴが、前記データ・インタフェースのうちのいずれが前記サービングＡＰに関して最も低いコスト距離を与えるかを識別することと、
前記ＡＴが、前記識別されたデータ・インタフェースに関係する前記ＤＡＰに関するコスト距離を取得することと、
前記ＡＴが、最も低いコスト距離を前記ＤＡＰのコスト距離と比較することと、
前記ＡＴが、前記最も低いコスト距離が前記ＤＡＰのコスト距離より少ない場合、前記サービングＡＰへ前記比較の結果をフォワードすることを更に含む請求項２０に記載の方法。
【請求項２４】
無線アクセスネットワーク（ＡＮ）のためのデータ接続ポイント（ＤＡＰ）の選択を容易にするアクセス端末（ＡＴ）において、
データ通信のために前記無線ＡＮのサービング・アクセスポイント（ＡＰ）に接続するコントローラと、
前記サービングＡＰに関連するコスト距離及び現在又はデフォルトのＤＡＰのコスト距離を取得する受信回路と、
前記サービングＡＰの前記コスト距離を、前記現在又はデフォルトのＤＡＰの前記コスト距離と比較し、前記サービングＡＰの前記コスト距離が前記現在又はデフォルトのＤＡＰの前記コスト距離より低い場合、かつ、前記サービングＡＰのコスト距離と前記現在又はデフォルトのＤＡＰのコスト距離との間の差がスイッチング・オーバーヘッド・コストより大きい場合に、前記ＡＴのＤＡＰの確立又は切り替えを容易にする処理回路とを含むアクセス端末。
【請求項２５】
前記受信回路は、前記無線ＡＮの各々のＡＰのコスト距離を取得するように構成されて、
前記コントローラは、互いに関係する前記コスト距離を処理するように構成される請求項２４に記載のＡＴ。
【請求項２６】
前記サービングＡＰの前記コスト距離が前記現在又はデフォルトのＤＡＰの前記コスト距離より低い場合に、前記サービングＡＰへ前記比較の結果をフォワードするように構成された送信回路を更に含む請求項２４に記載のＡＴ。
【請求項２７】
前記受信回路は、複数のＩＰゲートウェイの各々のデータ・インタフェースについて、
前記サービングＡＰの複数のコスト距離を取得し、
前記処理回路は、いずれのデータ・インタフェースが前記サービングＡＰに関して最も低いコスト距離を与えるかを識別し、
前記受信回路は、前記識別されたデータ・インタフェースに関係する前記ＤＡＰに関するコスト距離を取得し、
前記処理回路は、前記最も低いコスト距離を前記ＤＡＰのコスト距離と比較し、
前記送信回路は、前記最も低いコスト距離が前記ＤＡＰのコスト距離より少ない場合に、前記サービングＡＰへ前記比較の結果をフォワードする請求項２４に記載のＡＴ。
【請求項２８】
無線アクセスネットワーク（ＡＮ）におけるデータ接続ポイント（ＤＡＰ）の選択を容易にするように構成されたアクセス端末（ＡＴ）において、
データ通信のために前記無線ＡＮのサービング・アクセスポイント（ＡＰ）に接続するための手段と、
前記サービングＡＰに関連するコスト距離及び現在又はデフォルトのＤＡＰのコスト距離を取得するための手段と、
前記サービングＡＰの前記コスト距離を、前記現在又はデフォルトのＤＡＰの前記コスト距離と比較し、前記サービングＡＰの前記コスト距離が前記現在又はデフォルトのＤＡＰの前記コスト距離より低い場合、かつ、前記サービングＡＰのコスト距離と前記現在又はデフォルトのＤＡＰのコスト距離との間の差がスイッチング・オーバーヘッド・コストより大きい場合に、前記ＡＴのＤＡＰの確立又は切り替えを容易にするための手段とを含むアクセス端末。
【請求項２９】
無線アクセスネットワーク（ＡＮ）におけるデータ接続ポイント（ＤＡＰ）の選択を容易にするように構成されたプロセッサにおいて、ここで、前記プロセッサは、アクセス端末（ＡＴ）に含まれる、
前記プロセッサは、
データ通信のために前記無線ＡＮのサービング・アクセスポイント（ＡＰ）に接続する第１のモジュールと、
前記サービングＡＰに関連するコスト距離及び現在又はデフォルトのＤＡＰのコスト距離を取得する第２のモジュールと、
前記サービングＡＰの前記コスト距離を、前記現在又はデフォルトのＤＡＰの前記コスト距離と比較し、前記サービングＡＰの前記コスト距離が前記現在又はデフォルトのＤＡＰの前記コスト距離より低い場合、かつ、前記サービングＡＰのコスト距離と前記現在又はデフォルトのＤＡＰのコスト距離との間の差がスイッチング・オーバーヘッド・コストより大きい場合に、前記ＡＴのＤＡＰの確立又は切り替えを容易にする第３のモジュールとを含むプロセッサ。
【請求項３０】
無線アクセスネットワーク（ＡＮ）におけるデータ接続ポイント（ＤＡＰ）の選択を容易にするように構成されたコンピュータ読み取り可能なインストラクションを含むコンピュータ読み取り可能な記憶媒体において、ここで、前記インストラクションは、アクセス端末（ＡＴ）に含まれる少なくとも一つのコンピュータにより実行される、
前記インストラクションは、前記少なくとも一つのコンピュータにより、
データ通信のために前記無線ＡＮのサービング・アクセスポイント（ＡＰ）に接続し、
前記サービングＡＰに関連するコスト距離及び現在又はデフォルトのＤＡＰのコスト距離を取得し、
前記サービングＡＰの前記コスト距離を、前記現在又はデフォルトのＤＡＰの前記コスト距離と比較し、
前記サービングＡＰの前記コスト距離が前記現在又はデフォルトのＤＡＰの前記コスト距離より低い場合、かつ、前記サービングＡＰのコスト距離と前記現在又はデフォルトのＤＡＰのコスト距離との間の差がスイッチング・オーバーヘッド・コストより大きい場合に、前記ＡＴのＤＡＰの確立又は切り替えを容易にするように実行可能であるコンピュータ読み取り可能な記憶媒体。